(57)【要約】【課題】呼吸動やその変化に起因する画質劣化を抑制するとともにデータ取得率を向上する。【解決手段】本計測を所定単位で繰り返し、時間的に隣接する２つの前記所定単位の計測の間に１乃至複数のナビゲータエコーを取得するナビゲーション計測を行い、本計測の継続／非継続の判定及び直前の計測データの破棄の要否の判定を行う。判定は、少なくとも２つのナビゲータエコーを用いて、ナビゲーション計測によってモニターする部位の位置と変位安定性の基準である変位幅とを用い、それらが予め求めた基準変位及び基準変位幅を満たすか否かを判定する。【選択図】図５
2019111261.tif 000002
【特許請求の範囲】
【請求項１】
検査対象の周期的変位を特定するナビゲータエコーを取得するナビゲーション計測、及び、前記検査対象の画像を取得するための本計測を実行する計測部と、
前記計測部が、少なくとも前記周期的変位の一周期に亘り前記ナビゲーション計測を行った後、前記本計測を所定単位で繰り返し、時間的に隣接する２つの前記所定単位の計測の間に１乃至複数のナビゲータエコーを取得するナビゲーション計測を行うように、前記計測部の動作を制御する制御部と、
を備え、
前記制御部は、前記ナビゲーション計測で前記周期的変位の一周期に亘って取得したナビゲータエコーを用いて、前記周期的変位における基準位置及び基準変位幅を決定するとともに、前記所定単位の計測の直後に取得したナビゲータエコーと、前記基準位置及び基準変位幅とを用いて、当該所定単位の計測の継続又は非継続を判定する判定部を備え、
前記計測部は、前記判定部が前記所定単位の計測を継続と判定したときに、前記所定単位の計測を繰り返し、前記判定部が前記所定単位の計測を非継続と判定したときに、前記ナビゲーション計測を行うことを特徴とする磁気共鳴イメージング装置。
【請求項２】
請求項１に記載の磁気共鳴イメージング装置であって、
前記計測部は、前記判定部が前記所定単位の計測を非継続と判定したときに、直前の所定単位の計測で取得したデータを廃棄することを特徴とする磁気共鳴イメージング装置。
【請求項３】
請求項１に記載の磁気共鳴イメージング装置であって、
前記計測部は、前記所定単位の計測の間のナビゲーション計測では少なくとも２つのナビゲータエコーを取得し、前記判定部は、前記２つのナビゲータエコーから変位及び変位幅を検出し、当該検出した変位及び変位幅と前記基準位置及び基準変位幅とを比較し、前記所定単位の計測の継続又は非継続を判定することを特徴とする磁気共鳴イメージング装置。
【請求項４】
請求項１に記載の磁気共鳴イメージング装置であって、
前記計測部は、前記所定単位の計測の間のナビゲーション計測で１つのナビゲータエコーを取得し、前記判定部は、当該１つのナビゲータエコーから検出した変位とそれ以前のナビゲーション計測で得たナビゲータエコーから検出した変位とを用いて、前記所定単位の計測の継続又は非継続を判定することを特徴とする磁気共鳴イメージング装置。
【請求項５】
請求項１に記載の磁気共鳴イメージング装置であって、
前記計測部は、前記判定部が前記所定単位の計測を非継続と判定したときに、前記周期的変位の一周期に亘って前記ナビゲーション計測を行い、
前記判定部は、最新のナビゲーション計測で前記周期的変位の一周期に亘って取得したナビゲータエコーを用いて、当該周期的変位における基準位置及び基準変位幅を決定し、それ以前に決定した基準位置及び基準変位を更新することを特徴とする磁気共鳴イメージング装置。
【請求項６】
請求項１に記載の磁気共鳴イメージング装置であって、
前記計測部は、前記判定部において、検出した変位幅のみが基準変位幅を満たすと判定されたときに、その判定に用いたナビゲータエコーから検出した位置と、それ以前の判定に用いた基準位置とを用いて算出した、前記周期的変位のシフト量を用いて、前記本計測の条件を変更することを特徴とする磁気共鳴イメージング装置。
【請求項７】
請求項１に記載の磁気共鳴イメージング装置であって、
前記計測部は、前記ナビゲーション計測において、２方向以上の変位を取得することを特徴とする磁気共鳴イメージング装置。
【請求項８】
請求項１に記載の磁気共鳴イメージング装置であって、
前記制御部は、前記ナビゲーション計測により特定した検査対象の変位を表示装置に表示させる表示制御部をさらに備えることを特徴とする磁気共鳴イメージング装置。
【請求項９】
請求項８に記載の磁気共鳴イメージング装置であって、
前記表示装置に表示された前記検査対象の変位を用いたユーザによる基準位置及び基準変位幅の指定を受け付けるインターフェース部をさらに備えることを特徴とする磁気共鳴イメージング装置。
【発明の詳細な説明】
【技術分野】
【０００１】
本発明は、被検体中の水素や燐等からの核磁気共鳴信号を測定し、核の密度分布や緩和時間分布等を画像化する磁気共鳴イメージング（ＭＲＩ）装置に関し、特に被検体の体動を検出するナビゲータ信号を取得し、撮像を制御する技術に関する。
【背景技術】
【０００２】
ＭＲＩ装置を用いた撮像では、核磁気共鳴周波数の高周波磁場によって励起された被検体組織から発生する核磁気共鳴信号（エコー）を計測し、画像化する。この際、互いに直交する複数の方向に傾斜磁場パルスを印加することにより、核磁気共鳴信号に位置情報を付与する。撮像中に被検体に呼吸動等の体動があると、それによって傾斜磁場の位置もずれることになり、画質の劣化や結果画像の位置ずれを生じる。
【０００３】
この問題に対し、圧力センサなどで呼吸動をモニターし、呼吸周期と同期を取りながら撮像する手法（呼吸同期計測）や、画像を取得するためのエコーとは別に、ナビゲータエコーと呼ばれる核磁気共鳴信号を呼吸動変位が大きな部位、例えば横隔膜や腹壁、から取得し、ナビゲータエコーにより呼吸動変位を検出し、呼吸ゲーティングを行ったり、取得した画像を補正する手法が知られている（例えば、特許文献１、特許文献２など）。ナビゲータエコー法は、体動を検出するためのセンサなどを不要とし、任意部位の体動をモニターできるという利点がある。
【先行技術文献】
【特許文献】
【０００４】
【特許文献１】特開２００７−１８５３００号公報
【特許文献２】特開２０１５−２８３４号公報
【発明の概要】
【発明が解決しようとする課題】
【０００５】
呼吸同期計測は、モニターした体動位置をもとに、呼吸動の安定した期間に撮像のための計測を行うため、データ取得効率が低く、被検体の呼吸状態の変化に起因する画質劣化が生じやすい。ナビゲータエコー法では呼吸状態変化に起因する画質劣化の抑制は可能であるが、予め設定した呼吸動の安定期に相当するゲートウィンドウ内に入った時点でデータを取得するものであるため、データ取得率の低さは解決できていない。
【０００６】
本発明は体動、特に呼吸動やその変化に起因する画質劣化を抑制するとともにデータ取得率を向上する技術を提供することを課題とする。
【課題を解決するための手段】
【０００７】
上記課題を解決するため、本発明のＭＲＩ装置は、画像データを取得する計測を複数に分けて行い、分割された計測の間に極めて短いナビゲータエコーの取得を行って、画像データ取得を継続しうるか否かを判定する。
【０００８】
すなわち、本発明のＭＲＩ装置は、検査対象の周期的変位を特定するナビゲータエコーを取得するナビゲーション計測、及び、前記検査対象の画像を取得するための本計測を実行する計測部と、前記計測部が、少なくとも前記周期的変位の一周期に亘り前記ナビゲーション計測を行った後、前記本計測を所定単位で繰り返し、時間的に隣接する２つの前記所定単位の計測の間に１乃至複数のナビゲータエコーを取得するナビゲーション計測を行うように、前記計測部の動作を制御する制御部と、を備える。制御部は、前記ナビゲーション計測で前記周期的変位の一周期に亘って取得したナビゲータエコーを用いて、前記周期的変位における基準位置及び基準変位幅を決定するとともに、前記所定単位の計測の直後に取得したナビゲータエコーと、前記基準位置及び基準変位幅とを用いて、当該所定単位の計測の継続又は非継続を判定する判定部を備え、前記計測部は、前記判定部が前記所定単位の計測を継続と判定したときに、前記所定単位の計測を繰り返し、前記判定部が前記所定単位の計測を非継続と判定したときに、前記ナビゲーション計測を行う。
【発明の効果】
【０００９】
本発明によれば、所定単位で本計測を繰り返す際に、所定単位の計測と計測との間でナビゲータエコーを計測するとともに、取得したナビゲータエコーから求めた変位と本計測前に決定した基準位置／基準変位幅に基づいて、さらに所定単位の計測を継続するか否かを判定するので、呼吸状態変化に対応することができ、しかもロスタイムなく最大限計測を確保することができる。
【図面の簡単な説明】
【００１０】
【図１】本発明のＭＲＩ装置の実施形態を示す機能ブロック図。
【図２】図１のＭＲＩ装置の、主として計測部を示す構成を示す図。
【図３】本計測における撮像部位、及びナビゲーション計測を行う部位を示す図。
【図４】呼吸変位を示す図。
【図５】第一実施形態のＭＲＩ装置による撮像手順を示すフロー図。
【図６】周期的変位における基準位置の決定を説明する図で、（Ａ）は呼吸動と変位の領域を示す図、（Ｂ）は領域毎のナビゲータエコー点数を示すヒストグラム。
【図７】呼吸変位の表示画面とＧＵＩの一例を示す図。
【図８】第一実施形態による撮像の具体例を示す図。
【図９】第二実施形態のＭＲＩ装置による撮像手順を示すフロー図。
【図１０】第二実施形態による撮像の具体例を示す図。
【図１１】基準位置更新のためのＧＵＩの例を示す図。
【図１２】第二実施形態の変形例１を説明する図。
【図１３】第二の実施形態の変形例２を説明する図。
【発明を実施するための形態】
【００１１】
本発明のＭＲＩ装置の一実施形態を、図１を参照して説明する。図示するように、本実施形態のＭＲＩ装置は、核磁気共鳴（ＭＲ）信号を計測する計測部１００と、計測部１００の動作を制御する制御部２００と、計測部１００が計測したＭＲ信号を用いて画像再構成等の演算を行う信号処理部３００と、を備える。さらにＭＲＩ装置は、ユーザが制御部２００や信号処理部３００に指令や処理に必要なデータ等を入力したり、処理結果を表示したりするための入出力装置（ディスプレイ３５１や入力デバイス３５２）を備えたユーザーインターフェース（インターフェース部）３５０を備えることができる。
【００１２】
計測部１００の構成は、一般的なＭＲＩ装置と同様であり、例えば図２に示すように、被検体１０１の周囲に静磁場を発生する磁石１０２と、磁石１０２が発生する傾斜磁場空間に傾斜磁場を発生する傾斜磁場コイル１０３と、被検体の所定の領域に高周波磁場を発生する高周波コイル（ＲＦコイル）１０４と、被検体１０１が発生するＭＲ信号を検出するＲＦプローブ１０５を備えている。傾斜磁場コイル１０３は、Ｘ、Ｙ、Ｚの３方向の傾斜磁場コイルで構成され、傾斜磁場電源１０９からの信号に応じてそれぞれ傾斜磁場を発生する。ＲＦコイル１０４はＲＦ送信部１１０の信号に応じて高周波磁場を発生する。ＲＦプローブ１０５の信号は、信号検出部１０６で検出され、信号処理部３００に渡される。
【００１３】
信号処理部３００は、ＭＲ信号に対しフーリエ変換を施して画像データを作成する画像再構成部３１０、ＭＲ信号や作成した画像について補正処理や画像間演算等を行う画像処理部３２０等を備える。
【００１４】
制御部２００は、計測部１００及び信号処理部３００の動作を制御する。計測部１００の制御は、高周波磁場パルス及び傾斜磁場パルスの強度及び印加タイミング、ＭＲ信号の受信時間（Ａ／Ｄ時間）などを定めたパルスシーケンスに従って行われ、傾斜磁場電源１０９、ＲＦ送信部１１０、信号検出部１０６の駆動を制御する。パルスシーケンスは、撮像の目的や方法によって異なる種々のものがあり、予めプログラムされてメモリ等に格納されており、検査プロトコルに従って、或いはユーザが撮像条件とともに指定することで、選択され、実行される。
【００１５】
本実施形態のＭＲＩ装置では、ナビゲータエコーを計測（ナビゲーション計測）するシーケンスと、被検体１０１の画像を取得するための計測（本計測）のパルスシーケンスとを実行する。その際、制御部２００は、計測したナビゲータエコーから算出される被検体１０１の所定部位の変位を用いて、本計測の継続・非継続を制御する。このため制御部２００は、図１に示したように、計測制御部２１０、基準位置／基準変位幅決定部２２０、判定部２３０などの機能部を備える。
【００１６】
制御部２００はＣＰＵとメモリとで構成することができ、上述した機能の一部または全部をＣＰＵに搭載したプログラムによって実現することができる。ただし一部の機能をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍａｂｌｅ  Ｇａｔｅ  Ａｒｒａｙ）などのハードウェアで代替することも可能である。また信号処理部３００の一部の機能（例えば画像再構成や補正計算等）を制御部２００と同一のＣＰＵで実現することも可能である。
【００１７】
次に、本実施形態のＭＲＩ装置による撮像について、周期的変位が呼吸動である場合を例に説明する。
【００１８】
図３は、被検体の胸部を示す図であり、実線四角で囲った領域が撮像対象となる領域（スラブ）５０１である。この例では、被検体の体軸方向に沿って、横隔膜５０２を含むようにナビゲーション計測領域５０３を設定する。撮像領域５０１及びナビゲーション計測領域５０３の設定は、例えば、低分解能で撮像した被検体の広領域の画像（スカウト画像）上で、ユーザーインターフェース３５０を介してユーザが設定することができる。
【００１９】
撮像に用いるパルスシーケンスは、特に限定されないが、所定の幅を持った撮像領域５０１から画像再構成に必要なエコー信号を取得するために、１ないし複数のエコー信号を収集するステップを繰り返す。ナビゲーション計測は、二次元励起ＲＦパルスを用いて、或いは、ＲＦパルスと複数方向の傾斜磁場パルスを組み合わせて、所望の柱状の領域（ナビゲーション計測領域）を励起し、ナビゲーション計測領域５０３からエコー信号（ナビゲータエコー）を計測する。ナビゲータエコーを画像再構成部３１０において一次元フーリエ変換することによりプロファイルが得られ、柱状の領域に存在する解剖学的に特徴的な位置、例えば横隔膜の位置を検出することができる。
【００２０】
横隔膜の変位は、図４に示すように、周期的な呼吸動の吸期において比較的変位の安定した期間４０５が存在する。本実施形態の撮像では、変位が安定した期間を最大限利用して画像データ取得のための撮像（本計測）を行う。それ以外の時間はナビゲーション計測を行い、安定期間４０５から外れたこと及び安定期間４０５に入ったことを速やかに検出する。このため本計測は、所定の単位で繰り返し、１回の計測の間において少なくとも１のナビゲータエコーを取得するナビゲーション計測を行い、継続的な変位のモニタリングを行う。
【００２１】
以下、計測制御部３１０による計測制御の具体例を説明する。
＜第一実施形態＞
本実施形態では、基準位置／基準変位幅決定部２２０が、ナビゲーション計測で呼吸変位の一周期に亘って取得したナビゲータエコーを用いて、呼吸変位における基準位置及び基準変位幅を決定するとともに、判定部２３０が、所定単位の本計測の直後に取得したナビゲータエコーと、基準位置及び基準変位幅とを用いて、当該所定単位の計測の継続又は非継続を判定する。また計測部１００は、判定部２３０が所定単位の計測を継続と判定したときに、所定単位の計測を繰り返し、判定部が所定単位の計測を非継続と判定したときに、ナビゲーション計測を行うとともに直前の所定単位の計測で取得したデータを廃棄する。
【００２２】
以下、本実施形態のＭＲＩ装置の動作を、図５のフローを参照して説明する。
撮像が開始されると、計測制御部２１０はナビゲーション計測を行うよう計測部１００を制御し、ナビゲータエコーを取得する（Ｓ１０１）。ナビゲーション計測は、少なくとも被検体の呼吸動の一周期以上の間行い、その間に取得したナビゲータエコーから被検体の特定部位の変位（位置の変化）を検出し、位置の変化が予め定めた変位幅内であって、その持続時間が最長となる区間を求め、その区間における特定部位の変位を基準変位とする。そして、その基準変位の幅すなわち予め定めた変位幅を基準変位幅とし、基準変位における所定の位置を基準位置とする（Ｓ１０２）。所定の位置としては、基準変位における位置の平均値、最大値或いは最小値などを採用できる。基準位置と基準変位幅は、判定部２３０が本計測を開始或いは継続するか否か、直前の計測のデータを保存するか否かを判定する基準として用いられる。
【００２３】
さらにナビゲーション計測を実行し（Ｓ１０３）、ナビゲータエコーから特定した特定部位（例えば横隔膜）の位置が基準を満たす場合（Ｓ１０４）、本計測を開始する（Ｓ１０５）。基準変位に達していない場合には、Ｓ１０３のナビゲーション計測が継続される。
【００２４】
本計測は、例えば、１ないし複数の画像を再構成するのに必要な全データを複数に分けて収集する。すなわち、１回の計測では、全データのうち一部のデータを収集し、計測を繰り返すことで全データを収集する。
【００２５】
本計測の繰り返しにおいて、１回の計測と次回の計測との間にナビゲーション計測（Ｓ１０６）を行い、その際取得したナビゲータエコーと本計測（Ｓ１０５）の直前に取得したナビゲータエコーとを比較し、取得したナビゲータエコーから検出した位置（検出位置）が基準変位内であって且つ２以上のナビゲータエコーから求められる変位の幅が基準変位幅以内か否かを判定する（Ｓ１０７）。
【００２６】
判定ステップＳ１０８で、検出位置が基準変位ではない、或いは変位幅が基準変位幅を超える場合には、直前の本計測のデータを破棄し（Ｓ１０８、Ｓ１０９）、判定条件が「ＹＥＳ」となるまでナビゲーション計測（Ｓ１０６）を繰り返す。
【００２７】
判定ステップＳ１０８で、ナビゲーション計測（Ｓ１０６）で検出した位置が基準変位内であって且つ隣接する２以上のナビゲータエコーから求められる変位幅が基準変位幅以内であると判定された場合には、パルスシーケンスの繰り返し回数のカウンタをインクリメントし、次回の計測を行う（Ｓ１０５）。
【００２８】
このように所定の単位に分割された本計測とナビゲーション計測とを交互に実行し、ナビゲーション計測（Ｓ１０６）の後に、被検体の変位及び変位幅が基準を満たさないと判定された場合には、次の本計測を停止して、基準を満たすまでナビゲーション計測（Ｓ１０６）のみを実行する。最終的に、予定した数の計測の繰り返しが終了した時点で撮像を終了する（Ｓ１１０）。
【００２９】
次に上述した処理の具体的な内容を説明する。
［基準位置／基準変位幅の決定：Ｓ１０１、Ｓ１０２］
まず図５に示すステップＳ１０１、Ｓ１０２では、少なくとも１周期の間、連続してナビゲーション計測を行い、その後に変位と変位幅を判断する基準となる基準変位及び基準変位幅を基準位置／基準変位幅決定部２２０が決定する。基準変位と基準変位幅の決定方法の一例を、図６を参照して説明する。図６（Ａ）は、ナビゲータエコーによって検出した周期動の変位（呼吸変位）を表し、その下側にナビゲーション計測のタイミングを示している。横軸は時間である。１回のナビゲーション計測では、横隔膜を含む領域（図３：ナビゲーション計測領域５０３）を励起し、当該領域から発生したナビゲータエコーを取得し、エコー信号をフーリエ変換することにより横隔膜の位置情報を得る。１回のナビゲーション計測で取得するナビゲータエコーは１つでよい。
【００３０】
本計測に適した、呼吸変位が安定した期間を求めるために、図６（Ａ）に示すように、周期動の変位を複数の領域６１〜６７に分けて、１周期の間に計測したナビゲータエコーの点数を領域毎にカウントする。領域毎のナビゲータエコーの点数は、例えば図６（Ｂ）に示すように、呼吸動が安定した期間に相当する領域では大きくなり、呼吸動の変化が大きい領域では小さくなる。ナビゲータエコーの計測とカウントを複数の周期にわたって連続していくことで、図６（Ｂ）のグラフ（ヒストグラム）は変化するが、最終的に点数が最大となる呼吸変位を、呼吸変位の安定した期間の変位（基準変位）として選択する。図６（Ｂ）に示す例では、領域６１が最も点数が多く、領域６１を基準変位とする。そしてこの領域の変位の最小値６０１を基準位置とする。同時に、点数をカウントする際に用いた領域の幅を安定性の基準（基準変位幅）とする。例えば、領域６１〜６７が変位５ｍｍ相当であれば、安定性の基準も５ｍｍとなる。
【００３１】
上述した基準変位の決定は、自動的に行うことも可能であるが、例えば、ナビゲータエコーにより検出した変位を、図６（Ａ）に示すグラフのような形で、ディスプレイ４１０に表示し、ユーザがグラフ上で本計測に使用する期間と領域の幅を指定し、この指定を基準位置／基準変位幅決定部２２０が受け付けて、安定期間における変位（基準変位）を決定してもよい。周期動の変化を示すグラフは、例えば、ナビゲータエコーから得たプロジェクションデータのピクセルをそのまま画像として表示することにより、特定部位の変化をグラフのように表示させることができる。
【００３２】
波形を表示したユーザーインターフェースの一例を図７に示す。呼吸変位が時系列に表示されるウインドウ７０内に基準を２本線７０１で表示する。ユーザは線７０１の位置をマウスドラッグやキーボード入力などで変更し、変位の基準を任意に指定可能である。加えて、２本線の間隔を同様に変更し、安定性の基準も任意に指定可能である。このような波形或いはグラフと図６（Ｂ）のヒストグラムは、撮像の間、常にモニターし保持しておき、必要に応じて或いは常にディスプレイに表示させておいてもよい。このような波形表示画面をユーザーインターフェースに表示しておくことにより、撮像の進行状態を把握することができ、また予期しない体動による変位のシフトなどを知ることができる。
【００３３】
［基準の判定：Ｓ１０３、Ｓ１０４］
基準位置／基準変位幅が決定された後もナビゲーション計測を継続し（Ｓ１０３）、ナビゲータエコー計測後に得られる変位の情報（位置及び変位幅）は、判定部２３０に与えられる。ここで変位幅は、時間的に隣接するナビゲーション計測によって得た基準位置の差である。
【００３４】
判定部２３０は基準位置／基準変位幅決定部２２０が決定した基準位置及び基準変位幅と、ナビゲーション計測によって検出された位置及び変位幅とを比較し（Ｓ１０４）、検出された位置が基準を満たすか否かを判定する。具体的には、２つのナビゲーション計測で検出された位置が、基準変位内（基準位置が基準変位の最小値である場合、基準位置以上であって基準位置＋基準変位幅以下）であって且つ変位幅が基準変位幅以内であるかを判定する。判定の結果、基準を満たす場合に、判定部２３０は計測制御部２１０に指令を送り、計測部１００による本計測を開始する（Ｓ１０５）。検出位置が基準位置を満たしていても、ナビゲータエコー間の変位幅が基準変位幅を満たさない場合には、体動変位が安定していないとみなし、本計測は開始しない。検出位置及び変位幅が条件を満たさない場合には、ナビゲーション計測（Ｓ１０３）を継続し、ナビゲータエコーを計測するごとにステップＳ１０４の判定を行う。
【００３５】
［本計測とナビゲーション計測：Ｓ１０５〜Ｓ１０８］
本計測の撮像シーケンス（Ｓ１０５）では、ＴＲ毎に位相エンコードを変化させながら、所定のパルスシーケンスを繰り返し、画像再構成に必要なデータを収集する。ここで全データを複数回の計測で分けて収集し、１回の計測では全データの一部である所定数のデータを収集する。１回の計測で収集するデータ数は、本計測に用いるパルスシーケンスによっても異なるが、１回の計測時間が、呼吸動の一周期の中で撮像に割り当てられた時間（上述した特定部位の変位が予め定めた範囲内となる最長区間の長さ）より少ない時間とする。例えば、最長区間内で１回の計測を２ないし複数回繰り返すことが可能なデータ数とする。１回の計測で取得するデータ数は、例えば、ユーザが設定する計測パラメータの一つとして、ユーザが選択／指定するようにしてもよい。
【００３６】
計測制御部２１０は、ナビゲーション計測を１回の計測が終了するごとに行う（Ｓ１０６）。この計測と計測の間に挿入されるナビゲーション計測で計測するナビゲータエコーの数は、変位幅の情報が得られればよく、当該ナビゲーション計測内で位置及び変位幅の情報を得る場合には２エコーとする。また変位幅の算出に前回のナビゲーション計測で得た最終の変位を利用する場合には１つのナビゲータエコーでもよい。すなわち、２エコーが得られる場合には、これらナビゲータエコー取得時の横隔膜の位置と、その変位の差である変位幅が得られる。
【００３７】
判定部２３０は、ナビゲーション計測（Ｓ１０６）により検出された位置と変位幅が、基準を満たすか否かを判定し、満たす場合には、計測制御部２１０に指令を送り、計測制御部２１０により、直前の計測で得たデータを保存するとともに本計測を継続する。一方、判定部２３０が基準を満たさないと判定した場合、すなわち検出位置が基準変位内から外れた場合或いは検出変位幅が基準変位幅を超えた場合には（Ｓ１０７）、呼吸変位が安定期間から外れたと判断し、本計測は非継続とし、ナビゲーション計測を行う。
【００３８】
［直前のデータの破棄：Ｓ１０８、Ｓ１０９］
判定部２３０は、横隔膜の位置及び変位幅の判定において基準を満たさないと判定した場合、直前の計測のデータを破棄するか否かを決定する（Ｓ１０８）。例えば、１回の計測の前後で取得した２つのナビゲータエコーから位置と変位幅を検出した場合、変位幅が基準変位幅を超えているときは、２つのナビゲータエコー取得の間すなわち計測の間に横隔膜位置が基準変位幅を超えて変化しているので、その計測で得たデータは信頼性が低い。したがって、この場合は計測データを破棄する。一方、１回の計測に２つのナビゲータエコーを取得し、横隔膜の位置及び変位幅を判定した場合、本計測直後の１つ目のナビゲータの位置は基準変位内であるが、変位幅が基準変位幅を超える場合には、直前の本計測のデータは呼吸動の安定期に取得されたデータとみなすことができ、データは破棄されない。またすでに直前の計測のデータが破棄されている場合にもデータの破棄は不要と判定される。データの破棄が不要と判定された場合には、ナビゲーション計測に戻る。なお図５のフローでは省略しているが、データの破棄が不要と判定された場合において、予定回数の計測が終了している場合には、計測を終了する。また判定処理Ｓ１０８を省略し、横隔膜の位置及び変位幅の判定において基準を満たさないと判定された場合、常に直前のデータを破棄することとしてもよい。
【００３９】
判定部２３０が「データの破棄」と判定した場合には、計測部１００は、直前の計測のデータを破棄する（Ｓ１０９）。これにより、計測制御部２１０は、カウンタをひとつ前に戻し（「ｎ＝ｎ−１」とし）、計測部１００によるナビゲーション計測（Ｓ１０６）を行う。
【００４０】
［本計測の継続と終了：Ｓ１１０］
本計測を非継続として、ナビゲーション計測（Ｓ１０７）が開始されると、検出した位置と変位幅が基準を満たすまでナビゲーション計測を継続する。基準を満たし、且つ予定回数の計測が終了している場合には、撮像を終了する。予定回数の計測が終了していない場合には、計測制御部２１０は、カウンタをインクリメントし、次の計測を開始する。
【００４１】
本実施形態による撮像の具体例を図８に示す。図８は呼吸変位と実行シーケンスとの関係を示す図である。図示するように呼吸変位８０が安定期間に入る直前までナビゲーション計測８０１を実行し、基準を満たした時点８０２で１回目の計測８０３を実行する。１回目の計測終了後ナビゲーション計測を行い、基準を満たすか否かの判定８０４を行う。この例では、ナビゲーション計測では２つのナビゲータエコーを計測し、これらから求めた位置が基準変位内であるか及びこれらの位置の差が基準変位幅以内であるかを判定し、基準を満たしているため、２回目の計測８０５を実行する。２回目の計測終了時点で、同様のナビゲーション計測と判定８０６を行い、３回目の計測８０７を実行する。３回目の計測終了時点で、同様のナビゲーション計測と判定８０８を行うが、ここでは基準位置が基準変位から外れているため、直前の計測すなわち３回目の計測８０７のデータは破棄する。また４回目の計測を行うことなく、ナビゲーション計測８０９を継続する。連続してナビゲーション計測を行って呼吸変位をモニターし、再度、呼吸変位が基準を満たすと判定（８１０）されると、本計測（８１１）を開始する。以下、同様である。
【００４２】
以上、説明したように本実施形態によれば、計測と計測との間に短時間のナビゲーション計測を挿入し、計測ごとにその継続と非継続を判断するとともに、非継続の場合に、直前の計測のデータを破棄することより、本計測の時間を最大限確保しながら、体動の影響を排除した信頼性の高い画像を得ることができる。
また本実施形態によれば、ナビゲーション計測で得た変位の波形をユーザーインターフェース３５０に表示しておくことで、撮像の進行状況や変位の様子を確認することができる。またこのユーザーインターフェース３５０を介して計測パラメータの設定／変更、基準位置や基準変位幅の設定や変更などを行うことができる。
【００４３】
＜第一実施形態の変形例１＞
第一実施形態では、計測と計測との間に必ずナビゲーション計測を行うものとしたが、予め得た安定期間の情報を用いて計測間のナビゲーション計測を一部省略することも可能である。
【００４４】
すなわち、本変形例では、撮像の最初に１周期以上を計測する際に、呼吸変位と時間との関係を１周期以上保存しておき、この関係に基づき、安定期間４０５（図４）を予測し、計測と計測との間に行われるナビゲーション計測の回数をできるだけ低減する。再度、図４及び図８を参照して、本変形例を説明する。
【００４５】
図４に示したように、予め取得した呼吸変位と時間との関係から、タイミング４０１でモニターした呼吸変位から次に安定期間４０５が始まるタイミング４０２までの時間（４０４の期間）が推定できる。また安定期間４０５が終了するまでの時間（安定期間の長さ）も推定できる。そこで、図８のタイミング８０２で行った判定の結果で本計測開始可能と判定された後、安定期間が終了すると推定される時間まで継続して本計測を行い、その時間が経過した時点でナビゲーション計測を行い、そのときの変位が基準を満たすか否かの判定を行う。
【００４６】
この時点の判定結果が、例えば、図８の判定８０６と同じであれば、直前の計測８０５のデータを保存し、本計測を計測する。判定結果が図８の判定８０８と同じであれば、直前の計測８０７のデータを破棄し、ナビゲーション計測を継続し、変位をモニターする。
なお判定８０６において、変位は基準変位を満たしていても、変位の移動方向（すなわち変位幅がプラスかマイナスか）が逆のタイミングもありえる。このような場合、２つ以上のナビゲータエコーでモニターとした変位を比較することで、変位の方向を判定することができる。
【００４７】
本変形例によれば、第一実施形態の安定期間で行ったナビゲーション計測の一部、図８の例では判定８０４、８０６とそのためのナビゲーション計測、或いは全部を省略することができ、画像データ取得効率を最大限に向上することができる。
【００４８】
＜第一実施形態の変形例２＞
第一実施形態では、ナビゲータエコーにより一方向の変位を検出する場合を説明したが、本変形例では、複数方向の変位を検出する。
例えば、呼吸に伴う腹壁の変位は、被検体の前後方向及び横方向（体軸及び前後方向と直交する方向）にも生じる。それに伴い、撮像対象臓器の位置も２次元的に変化する可能性がある。本変形例では、複数方向の変位を検出可能なナビゲータエコーを用いて２次元的な変位をモニターする。
【００４９】
複数方向の変位を検出する手法としては、ナビゲーション領域の方向が異なる２以上のナビゲータエコーを用いる、或いはナビゲーション計測において位相エンコードを用い、２次元方向の情報を得る、などの手法がある。前者の場合には、Ｘ方向の変位とＹ方向の変位が得られるので、それらを合成することで、２次元的な変位をモニターすることができる。また後者の場合、位相エンコードが例えば１６ステップ程度の低分解能画像を得る。この画像の特定部位、例えば腹壁の所定の位置を追跡することで、２次元的な変位を得ることができる。
【００５０】
本変形例によれば、複数方向のナビゲータエコーを用いることにより、より高い精度で体動アーチファクトをなくすことができる。
なお以上説明した第一実施形態の変形例１、２は、第一実施形態のみならず、以下に説明する各本実施形態にも適宜、適用することができる。
【００５１】
＜第二実施形態＞
第一実施形態では、一連の計測の間に、被検者の呼吸変位がシフトしない、すなわち基準位置がシフトしないことを前提としているが、本実施形態は、撮像の間に生じる呼吸変位のシフトに対応する制御を行うことが特徴である。
【００５２】
本実施形態の処理を、第一実施形態と異なる点を中心に、図９及び図１０を参照して説明する。なお図１０において、図８と同じ要素は同じ符号で示し、説明は省略する。
本実施形態においても、検査開始後、所定の時間、ナビゲーション計測を行い、基準位置と変位幅を決定すること（Ｓ２０１）、さらに基準を満たすまで連続的にナビゲーション計測を行い（Ｓ２０２）、基準を満たしたと判定したならば（Ｓ２０２）、画像データ取得のための計測と、各計測間でナビゲータエコーを用いた判定処理を行うこと（Ｓ２０４〜Ｓ２０６）、は第一の実施形態と同様である。
【００５３】
本実施形態では、判定処理（Ｓ２０６）において基準を満たさないと判定した場合、必要に応じて直前の計測データを破棄するとともに、ナビゲーション計測を継続し、シフトが発生したか否かを判定する（Ｓ２０８）。具体的には、図１０に示すように、ナビゲーション計測９０９中に一定期間、例えば１呼吸周期以上、基準を満たすことがない場合には、シフトが発生したと判定し、ナビゲータエコーを用いて基準位置を再度決定する（Ｓ２０９）。基準位置の決定方法は、第一実施形態と同様であり、１呼吸周期以上のナビゲーション計測９０９を行うとともに、図６（Ａ）のグラフや図６（Ｂ）のヒストグラムをディスプレイ３５１に表示させる。呼吸変位を複数の領域に分割し、各領域におけるナビゲータエコーの点数の多い領域を基準変位とし、当該領域の位置（下限値）を基準位置と決定する。基準変位幅は、最初に設定した変位幅を用いるが、新たに設定することも可能である。これら決定はユーザーインターフェース３５０を介して行うことができる。基準更新のＧＵＩの一例を図１１に示す。呼吸変位が時系列に表示されるウインドウ７０に示した状態からウインドウ７１の状態にシフトした場合、ユーザはウインドウ内に２本線で表示されている基準を位置７０１から位置７１１に変更する。変更はマウスドラッグやキーボード入力などの入力デバイス３５２で行う。
【００５４】
基準位置／基準変位幅決定部２２０は、以前の基準位置を新たに決定した基準位置で更新する。なお図１０では、呼吸変位が下側にシフトした例を示しているが、呼吸変位が上側にシフトした場合にも、１呼吸周期以上、基準を満たさない（基準変位に到達しない）ことになるので、同様である。
こうして基準の更新が完了したら、新たな基準を用いて全画像データの収集が完了するまで、判定処理（Ｓ２０６）と画像データ取得（Ｓ２０４、Ｓ２０６）とを繰り返す。
【００５５】
このように本実施形態によれば、適宜基準を更新することで、呼吸変位のシフト発生時も呼吸動の安定した期間を最大限活用した計測が可能となる。また基準を満たすか否かを判定するために、基準位置と基準変位幅の両方を用いることで、基準変位がどの方向にシフトしても、シフトを確定することができる。
【００５６】
＜第二実施形態の変形例１＞
本変形例は、判定部２３０において、呼吸変位にシフトが生じているか否かを判定することは、第二実施形態と同様であるが、本変形例では呼吸変位のシフト分を求め、取得済みのデータとシフトが生じた後に実行する本撮像において、呼吸変位のシフト分に応じて撮像スライス位置をシフトすることが特徴である。
【００５７】
このため本変形例では、図１２に示すように、安定期間の計測後にナビゲーション計測を連続実行しているときに、判定８１２において、安定性のみ（基準変位幅のみ）基準を満たすと判定された場合、それ以前の判定８０４、８０６等で判定に用いた基準変位と、判定８１２における呼吸変位とを比較し、その差をシフト量として、シフト後の撮像におけるスライス位置をシフト量に併せてシフトさせる。スライス位置のシフトは、例えば、本計測時にＲＦ送信部１１０を制御して、励起用ＲＦパルスの中心周波数を変化させることで調整することができる。或いはＲＦパルスとともに印加するスライス傾斜磁場のオフセット量を変化させてもよい。
【００５８】
シフト分に応じた照射周波数変更量は以下のように算出可能である。磁場中心を基準位置とした場合、あるスライス位置Ｚにおける照射周波数Ｆ（Ｚ）は、中心周波数Ｆ0、磁気回転比γ、スライス選択傾斜磁場Ｇｓ、位置Ｚから式（１）で与えられる。式（１）を用いて、ナビゲータエコーで計測したシフト量Ｚに応じたＦ（Ｚ）を算出し、撮像シーケンスに反映する。
Ｆ（Ｚ） ＝ Ｆ0 + γ×(Ｇｓ×Ｚ)        （１）
基準位置にオフセットがある場合は、式（１）のＦ0を、中心周波数と異なる値（オフセットを含む周波数Ｆ１）に置き換えればよい。
【００５９】
またシフトが生じた場合、図６（Ｂ）に示すようなヒストグラム（変位とエコー点数との関係を示すヒストグラム）の横軸も変化するので、シフト後の判定８１２等は、ヒストグラムで点数が最大となる変位を基準変位として基準を満たすか否かの判定を行う。
【００６０】
第二実施形態では、呼吸変位にシフトが生じた場合、基準位置と基準変位幅を更新するために１呼吸周期以上のデータ取得が必要であり、またユーザが基準位置を設定する場合には、そのための処理時間が必要であったが、本変形例によれば、基準更新のためのデータ取得による時間のロスが発生しないため、より効率的な画像データ取得が可能となる。
【００６１】
＜第二実施形態の変形例２＞
本変形例は、変位がシフトした場合に、基準位置と基準変位幅を更新して本計測及びナビゲーション計測を継続するモード（第二実施形態）と、変位がシフトした場合に、本計測のスライス位置をシフトするモード（変形例１）をユーザが選択可能にしたことが特徴である。
【００６２】
図１３にユーザに提示される画面例を示す。この画面例では、撮像中に呼吸変位を示すグラフ表示部１３０１と、実行シーケンスのタイミングを示す処理表示部１３０２と、１回の計測の時間すなわちデータ取得期間を表示する時間表示部１３０３と、ユーザによるモードの選択を受け付けるモード選択部１３０４と、が設けられている。モード選択部１３０４は、基準を更新するモードと、スライス位置をシフトするモードのいずれか一方の選択を受け付けるように構成されており、チェックマークや輝度変更などによって、いずれが選択されたかを示すようになっている。
【００６３】
ユーザは、例えば、計測時間をできるだけ短縮したい場合には、スライスシフトモードを選択しておくことで、シフトがある度に基準位置の変更を行う必要がなく、円滑な撮像を行うことができる。また基準位置更新モードを選択した場合には、精度の高い基準位置決定ができるため、より画質の良好な画像を得ることができる。
本変形例によれば、ユーザに選択の自由度を与えることができ、画質或いは計測時間の優先性をユーザが選択した撮像が可能となる。
【００６４】
以上、本発明の各実施形態を説明したが、本発明の各実施形態及び変形例は、技術的に矛盾しない限り適宜組み合わせることも可能であり、また必須ではない要素の追加や省略も本発明に包含される。
【符号の説明】
【００６５】
４０：呼吸変位、４１〜４７：変位の領域、８０：呼吸変位、１００：計測部、１０２磁石、１０３：傾斜磁場コイル、１０４：高周波コイル（ＲＦコイル）、１０５：ＲＦプローブ、送信部：１０６、１０９：傾斜磁場電源、ＲＦ検出部：１１０、２００：制御部、２１０：計測制御部、２２０：基準位置／基準変位幅決定部、２３０：判定部、３００：信号処理部、３１０：画像再構成部、３２０：画像処理部、３５０：ユーザーインターフェース、３５１：ディスプレイ、３５２：入力デバイス、４０５：安定期間
【図１】
2019111261.tif 000003
【図２】
2019111261.tif 000004
【図３】
2019111261.tif 000005
【図４】
2019111261.tif 000006
【図５】
2019111261.tif 000007
【図６】
2019111261.tif 000008
【図７】
2019111261.tif 000009
【図８】
2019111261.tif 000010
【図９】
2019111261.tif 000011
【図１０】
2019111261.tif 000012
【図１１】
2019111261.tif 000013
【図１２】
2019111261.tif 000014
【図１３】
2019111261.tif 000015